(57)【要約】【課題】  名古屋帯および袋帯のつくり方の大変な部分の軽減につながる従来にない新規な帯結び方法を提供することにある。【解決手段】  名古屋帯の帯結び方法としては、帯幅約３０ｃｍの帯のタレ先先端Ｂ−Ｂ線の一方の角Ｂを対角線上に折り曲げてタレ先先端Ｂ−Ｂ線から３０ｃｍの位置Ａ−Ａ線を確認する工程と、位置Ａ−Ａ線を軸にタレ先を折り曲げてタレ先先端Ｂ−Ｂ線と重なる位置Ｃ−Ｃ線を確認する工程と、位置Ｃ−Ｃ線を軸に折り曲げたタレ先を屏風畳みする工程と、屏風畳みされた表面を三等分し、位置ＣーＣ線から２／３の位置ＤーＤ線を確認する工程と、屏風畳みされたタレ先を延ばしながら位置Ｄ−Ｄ線を小折にして紐Ｒを通し、通した紐ＲをＤ，Ｄ部分でクリップ留めする工程と、を備えた。【選択図】  図１
2010196186.tif 000002
【特許請求の範囲】
【請求項１】
名古屋帯の帯結び方法であって、
帯幅約３０ｃｍの帯のタレ先先端Ｂ−Ｂ線の一方の角Ｂを対角線上に折り曲げてタレ先先端Ｂ−Ｂ線から３０ｃｍの位置Ａ−Ａ線を確認する工程と、
位置Ａ−Ａ線を軸にタレ先を折り曲げてタレ先先端Ｂ−Ｂ線と重なる位置Ｃ−Ｃ線を確認する工程と、
位置Ｃ−Ｃ線を軸に折り曲げたタレ先を屏風畳みする工程と、
屏風畳みされた表面を三等分し、位置ＣーＣ線から２／３の位置ＤーＤ線を確認する工程と、
屏風畳みされたタレ先を延ばしながら位置Ｄ−Ｄ線を小折にして紐Ｒを通し、通した紐ＲをＤ，Ｄ部分でクリップ留めする工程と、
を備えて、帯を腰に巻く前の名古屋帯用セット段階としたことを特徴とする名古屋帯の帯結び方法。
【請求項２】
名古屋帯用セット段階の終了した帯を腰に巻き仮紐Ｓで留めるとともに、あまり帯が持ち上がらないように押さえ紐Ｔをかける工程と、
セットしたタレ先を紐Ｒで背中の高い所に持ち上げて、紐Ｒの両端を体正面側で結ぶ工程と、
紐Ｒを留めていたクリップを取り外すとともに押さえ紐Ｔを外す工程と、
紐Ｒの上に枕Ｕを載せて枕Ｕをセットし枕Ｕの紐Ｖを結ぶ工程と、
帯揚げをかぶせて前で結ぶ工程と、
その他、名古屋帯を作る従前の工程と、
を備えて、セット段階の終了した帯を名古屋帯に形成することを特徴とする請求項１記載の名古屋帯の帯結び方法。
【請求項３】
紐Ｒは、長手方向左右対称に、帯位置の調整可能な目印Ｘを備えていることを特徴とする請求項１又は２記載の名古屋帯の帯結び方法。
【請求項４】
袋帯の帯結び方法であって、
帯幅約３０ｃｍの帯のタレ先先端Ｂ−Ｂ線の一方の角Ｂを対角線上に折り曲げてタレ先先端Ｂ−Ｂ線から３０ｃｍの位置Ａ−Ａ線を確認する工程と、
位置Ａ−Ａ線にクリップをおきながら、クリップのタレ先側隣に紐Ｒを配置して当該クリップで紐Ｒをクリップ留めする工程と、
位置Ａ−Ａ線を軸に位置Ａ−Ａ線から反タレ先側の帯をタレ先先端Ｂ−Ｂ線より２８ｃｍ越えた位置Ｅ−Ｅ線まで折り重ね、さらに残った帯を位置Ｅ−Ｅ線を軸に紐Ｒ側に折り重ねる工程と、
帯の反タレ先側を紐Ｒを軸にタレ先先端Ｂ−Ｂ側へ山折りにして、紐Ｒを留めていたクリップで紐Ｒとその上下に折り重ねられた帯４枚をハの字形に留める工程と、
を備えて、帯を腰に巻く前の袋帯用セット段階としたことを特徴とする袋帯の帯結び方法。
【請求項５】
袋帯用セット段階の終了した帯を腰に巻き仮紐Ｓで留めるとともに、あまり帯が持ち上がらないように押さえ紐Ｔをかける工程と、
セットしたタレ先を紐Ｒで背に背負いながらタレ先を所定の位置に決めて、紐Ｒの両端を体正面側で縛る工程と、
押さえ紐Ｔを外して、この押さえ紐Ｔでタレ先を固定する工程と、
紐Ｒと帯４枚を留めていたクリップを取り外す工程と、
帯の中の紐Ｒの位置に枕Ｕを入れて、入れた枕を７〜８ｃｍ上にリフトした後、枕Ｕの紐Ｖを結ぶ工程と、
押さえ紐Ｔと紐Ｒの結びを解くとともに、帯揚げをかぶせて前で結ぶ工程と、
紐Ｗを帯の内側へ入れて、その紐Ｗを軸に折り込み袋帯の形を作るとともに、タレ先約１０ｃｍを作る工程と、
その他、袋帯を作る従前の工程と、
を備えて、袋帯用セット段階の終了した帯を袋帯に形成することを特徴とする請求項４記載の袋帯の帯結び方法。
【請求項６】
紐Ｒは、長手方向左右対称に、帯位置の調整可能な目印Ｘを備えていることを特徴とする請求項４又は５記載の袋帯の帯結び方法。
【発明の詳細な説明】
【技術分野】
【０００１】
本願発明は、名古屋帯および袋帯の帯の結び方（帯結び方法）に関するものである。
【背景技術】
【０００２】
長年着付けの指導にたずさわり感じることは、「習う側の立場になってもっと簡単に、しかも綺麗にできる方法はないものか？」ということである。特に、帯に関してはなかなかやっかいで、手も後ろにまわらず上手にできない様子を多々見受けられる。とにかく、個々が苦労少なく着上げることが大事である。そして、これまでにも名古屋帯や袋帯などの帯結びについては、様々なアイデアや工夫がされていた（例：特許文献１や特許文献２など）。
【先行技術文献】
【特許文献】
【０００３】
【特許文献１】特公平８−３４７４７号公報
【特許文献２】特許第２６４０７３０号公報
【発明の概要】
【発明が解決しようとする課題】
【０００４】
本願発明者は、長年にわたり着付けの指導にたずさわっているが、きもの離れのなか、もっと多くの人にきものの良さを伝えてゆきたいと願い、個々が着られることがそれにつながると信じ、名古屋帯および袋帯のつくり方の大変な部分の軽減につながる従来にない新規な方法を発明した。
【課題を解決するための手段】
【０００５】
本願発明者による第１の発明から第３の発明は、名古屋帯の帯結び方法に関するものである。
すなわち、第１の発明は、名古屋帯の帯結び方法にあって、帯幅約３０ｃｍの帯のタレ先先端Ｂ−Ｂ線の一方の角Ｂを対角線上に折り曲げてタレ先先端Ｂ−Ｂ線から３０ｃｍの位置Ａ−Ａ線を確認する工程と、位置Ａ−Ａ線を軸にタレ先を折り曲げてタレ先先端Ｂ−Ｂ線と重なる位置Ｃ−Ｃ線を確認する工程と、位置Ｃ−Ｃ線を軸に折り曲げたタレ先を屏風畳みする工程と、屏風畳みされた表面を三等分し、位置ＣーＣ線から２／３の位置ＤーＤ線を確認する工程と、屏風畳みされたタレ先を延ばしながら位置Ｄ−Ｄ線を小折にして紐Ｒを通し、通した紐ＲをＤ，Ｄ部分でクリップ留めする工程と、を備えて、帯を腰に巻く前の名古屋帯用セット段階としたことを特徴とするものである。
第２の発明は、名古屋帯用セット段階の終了した帯を腰に巻き仮紐Ｓで留めるとともに、あまり帯が持ち上がらないように押さえ紐Ｔをかける工程と、セットしたタレ先を紐Ｒで背中の高い所に持ち上げて、紐Ｒの両端を体正面側で結ぶ工程と、紐Ｒを留めていたクリップを取り外すとともに押さえ紐Ｔを外す工程と、紐Ｒの上に枕Ｕを載せて枕Ｕをセットし枕Ｕの紐Ｖを結ぶ工程と、帯揚げをかぶせて前で結ぶ工程と、その他、名古屋帯を作る従前の工程と、を備えて、セット段階の終了した帯を名古屋帯に形成することを特徴とするものである。
第３の発明は、紐Ｒは、長手方向左右対称に、帯位置の調整可能な目印Ｘを備えていることを特徴とするものである。
【０００６】
本願発明者による第４の発明から第６の発明は、袋帯の帯結び方法に関するものである。
すなわち、第４の発明は、袋帯の帯結び方法にあって、帯幅約３０ｃｍの帯のタレ先先端Ｂ−Ｂ線の一方の角Ｂを対角線上に折り曲げてタレ先先端Ｂ−Ｂ線から３０ｃｍの位置Ａ−Ａ線を確認する工程と、位置Ａ−Ａ線にクリップをおきながら、クリップのタレ先側隣に紐Ｒを配置して当該クリップで紐Ｒをクリップ留めする工程と、位置Ａ−Ａ線を軸に位置Ａ−Ａ線から反タレ先側の帯をタレ先先端Ｂ−Ｂ線より２８ｃｍ越えた位置Ｅ−Ｅ線まで折り重ね、さらに残った帯を位置Ｅ−Ｅ線を軸に紐Ｒ側に折り重ねる工程と、帯の反タレ先側を紐Ｒを軸にタレ先先端Ｂ−Ｂ側へ山折りにして、紐Ｒを留めていたクリップで紐Ｒとその上下に折り重ねられた帯４枚をハの字形に留める工程と、を備えて、帯を腰に巻く前の袋帯用セット段階としたことを特徴とするものである。
第５の発明は、袋帯用セット段階の終了した帯を腰に巻き仮紐Ｓで留めるとともに、あまり帯が持ち上がらないように押さえ紐Ｔをかける工程と、セットしたタレ先を紐Ｒで背に背負いながらタレ先を所定の位置に決めて、紐Ｒの両端を体正面側で縛る工程と、押さえ紐Ｔを外して、この押さえ紐Ｔでタレ先を固定する工程と、紐Ｒと帯４枚を留めていたクリップを取り外す工程と、帯の中の紐Ｒの位置に枕Ｕを入れて、入れた枕を７〜８ｃｍ上にリフトした後、枕Ｕの紐Ｖを結ぶ工程と、押さえ紐Ｔと紐Ｒの結びを解くとともに、帯揚げをかぶせて前で結ぶ工程と、紐Ｗを帯の内側へ入れて、その紐Ｗを軸に折り込み袋帯の形を作るとともに、タレ先約１０ｃｍを作る工程と、その他、袋帯を作る従前の工程と、を備えて、袋帯用セット段階の終了した帯を袋帯に形成することを特徴とするものである。
第６の発明は、紐Ｒは、長手方向左右対称に、帯位置の調整可能な目印Ｘを備えていることを特徴とするものである。
【発明の効果】
【０００７】
本願発明によれば、以下のような効果を有する。
（１）初心者や年配者でも、一人で名古屋帯及び袋帯をつくることができる。
（２）短い帯（古い帯に多い）であっても、確実に名古屋帯及び袋帯をつくることができる。
（３）帯の柄が上手に表れるように名古屋帯及び袋帯をつくることができる。
【図面の簡単な説明】
【０００８】
【図１】名古屋帯のつくり方（帯結び方法）を示した説明図（その１）。
【図２】名古屋帯のつくり方（帯結び方法）を示した説明図（その２）。
【図３】名古屋帯のつくり方（帯結び方法）を示した説明図（その３）。
【図４】名古屋帯のつくり方（帯結び方法）を示した説明図（その４）。
【図５】袋帯のつくり方（帯結び方法）を示した説明図（その１）。
【図６】袋帯のつくり方（帯結び方法）を示した説明図（その２）。
【図７】袋帯のつくり方（帯結び方法）を示した説明図（その３）。
【図８】袋帯のつくり方（帯結び方法）を示した説明図（その４）。
【図９】袋帯のつくり方（帯結び方法）を示した説明図（その５）。
【図１０】袋帯のつくり方（帯結び方法）を示した説明図（その６）。
【発明を実施するための形態】
【０００９】
本願発明の実施形態を図面に基いて説明する。
図１から図４は、名古屋帯のつくり方（第１実施形態）を示したものである。
特に、図１の（１）から図２の（９）までが、名古屋帯を作るために予め帯に手を加えておく準備（セット）段階であって、本願発明に係る名古屋帯の帯結び方法の最大の特徴である。
【００１０】
上記準備（セット）段階では、タレ先から８０ｃｍのところに紐Ｒを通すことが１つのポイントになる。そして、本願発明ではこれをメジャー等の測りを使用することなく、帯幅を利用することで実に簡単且つ確実にこれを実現している（図１（１）〜（５））。
また、本願発明で使用する紐Ｒには、長手方向左右対称に目印Ｘを設けている（図３（１４）の参照図）。紐Ｒを体正面側（前側）で結び場合、この目印Ｘを合わせて結ぶことで、自然と帯位置が背中中央になるように調整できる。これは、次に説明する袋帯（第２実施形態）においても同じである（図７（１３））。
【００１１】
図５から図１０は、袋帯のつくり方（第２実施形態）を示したものである。
特に、図５の（１）から図６の（８）までが、袋帯を作るために予め帯に手を加えておく準備（セット）段階であって、本願発明に係る袋帯の帯結び方法の最大の特徴である。
【００１２】
上記準備（セット）段階では、図５（４）及び（５）の状態で、実際に帯を結んだ時に表出する柄が分かる。すなわち、位置Ａ−Ａ線に重なる最表面部分からタレ先（Ｂ−Ｂ線）側へ７〜８ｃｍの位置が帯枕になる。従って、帯の柄との関係でＢ−Ｂ線とＥ−Ｅ線の長さ（２８ｃｍ）を調整するとよい。これに対して、従来の袋帯の帯結び方法では、実際に帯を結んでみなければ表出する帯の柄は分からず、上手く柄を出すことできない場合に結び直し等の負担が大きかった。本願発明では、この袋帯における二重太鼓の側面の二枚揃うところ及び枕が綺麗にあがるところを簡単にできることとした。
【産業上の利用可能性】
【００１３】
本願発明は、長さや柄の位置の異なる様々な帯についても、確実に名古屋帯および袋帯をつくる（帯結びする）ことができる。
【図１】
2010196186.tif 000003
【図２】
2010196186.tif 000004
【図３】
2010196186.tif 000005
【図４】
2010196186.tif 000006
【図５】
2010196186.tif 000007
【図６】
2010196186.tif 000008
【図７】
2010196186.tif 000009
【図８】
2010196186.tif 000010
【図９】
2010196186.tif 000011
【図１０】
2010196186.tif 000012